【手続補正書】
【提出日】平成18年8月3日(2006.8.3)
【手続補正１】
【補正対象書類名】特許請求の範囲
【補正対象項目名】全文
【補正方法】変更
【補正の内容】
【特許請求の範囲】
【請求項１】
放送番組の内容に関するメニューを作成する放送番組内容メニュー作成装置であって、
放送番組の映像信号を蓄積する蓄積手段と、
前記蓄積手段に蓄積された映像信号の各フレームの所定の特徴画部分を検出する特徴画検出手段と、
前記特徴画検出手段によって検出された前記所定の特徴画部分のうちの所定の出現条件を満たすフレームの特徴画部分だけの映像データを抽出する映像抽出手段と、
前記映像抽出手段によって映像データが抽出される毎にその映像データによって示される特徴画部分を含む映像を表す映像信号を前記メニューとして作成して出力するメニュー作成手段と、を備えることを特徴とする放送番組内容メニュー作成装置。
【請求項２】
前記特徴画検出手段は、前記所定の特徴画部分として各フレーム中のテロップを検出するテロップ検出部からなり、
前記映像抽出手段は、前記蓄積手段に蓄積された映像信号のフレーム列においてシーンが変化する時点のフレームを検出するシーン検出手段を含み、
前記所定の出現条件は、
条件(1) 文字サイズは比較的大きく、かつニュース項目各々でほぼ一定であること、
条件(2) １つのニュース番組内において複数回出現すること、
条件(3) ほぼ毎回同一位置に配置されること、
の全てであることを特徴とする請求項１記載の放送番組内容メニュー作成装置。
【請求項３】
前記蓄積手段に映像信号が蓄積された放送番組が所定のジャンルの放送番組であるか否かを判定するジャンル判定手段と、
前記蓄積手段に蓄積された映像信号のうちの前記所定のジャンルの放送番組の映像信号の各フレームの所定の特徴画部分を検出する特徴画検出手段と、を備えることを特徴とする請求項１記載の放送番組内容メニュー作成装置。
【請求項４】
前記所定のジャンルの放送番組は、ニュース番組であり、
前記特徴画検出手段は、前記所定の特徴画部分として各フレーム中のテロップを検出するテロップ検出部からなり、
前記映像抽出手段は、前記蓄積手段に蓄積された映像信号のフレーム列においてシーンが変化する時点のフレームを検出するシーン検出手段を含み、
前記所定の出現条件は、
条件(1) 文字サイズは比較的大きく、かつニュース項目各々でほぼ一定であること、
条件(2) １つのニュース番組内において複数回出現すること、
条件(3) ニュース項目毎の最初のシーンで出現する冒頭テロップはほぼ毎回同一位置に配置されること、
条件(4) その冒頭テロップの出現から消滅までの間はシーンの変化がないこと、
の全てであることを特徴とする請求項３記載の放送番組内容メニュー作成装置。
【請求項５】
前記テロップ検出部は、前記蓄積手段に蓄積された映像信号のうちの前記ニュース番組の映像信号の各フレーム内で隣り合う画素の輝度差が高い部分で囲まれたエッジ囲み領域を検出するエッジ領域検出手段と、
前記エッジ領域検出手段によって検出されたエッジ囲み領域が所定フレーム数より多く連続してほぼ同一の領域であるときそのエッジ囲み領域をテロップと判定してそのテロップの出現フレーム、消滅フレーム、テロップ位置及び文字サイズからなるテロップ情報を前記映像抽出手段に供給するテロップ判定手段と、を備えることを特徴とする請求項４記載の放送番組内容メニュー作成装置。
【請求項６】
前記映像抽出手段は、テロップの文字サイズを設定する文字サイズ設定手段と、
前記テロップ検出部によって検出されたテロップのうちの前記文字サイズ設定手段によって設定された文字サイズの文字を有するテロップの数が第１所定数より大であるときには、前記条件(1)及び前記条件(2)を満たすと判別する第１判別部と、
前記条件(1)及び前記条件(2)を満たしたテロップのうちのテロップ位置が同一位置のテロップであって最多テロップ数となった位置のテロップを全て検出し、その検出したテロップ数が第２所定数より大であるときには前記条件(3)を満たすと判別する第２判別部と、
前記条件(3)を満たしたテロップのうちの同一のテロップの出現フレームから消滅フレームまでの期間において前記シーン検出手段によってシーンの変化が検出されていない場合には前記条件(4)を満たすと判別する第３判別部と、を有することを特徴とする請求項４又は５記載の放送番組内容メニュー作成装置。
【請求項７】
前記テロップ検出部によって検出されたテロップのうちの前記設定された文字サイズの文字を有するテロップの数が前記第１所定数以下であると前記第１判別部によって判別されたとき、前記最多テロップ数となった位置のテロップのテロップ数が前記第２所定数以下あると前記第２判別部によって判別されたとき、又は前記出現フレームから前記消滅フレームまでの期間において前記シーン検出手段によってシーンの変化が検出されたと前記第３判別部によって判別されたときには、前記文字サイズ設定手段はテロップの文字サイズを１サイズだけ減少させて前記第１判別部にその判別動作を再度実行させることを特徴とする請求項６記載の放送番組内容メニュー作成装置。
【請求項８】
前記エッジ領域検出手段は、前記輝度差が高いエッジの画素のうち中間輝度を除く輝度を示す画素によるエッジを検出するエッジ検出手段を有し、前記エッジ検出手段によって検出されたエッジに応じて前記エッジ囲み領域を検出することを特徴とする請求項５記載の放送番組内容メニュー作成装置。
【請求項９】
前記エッジ検出手段は、前記映像信号のフレーム毎にエッジ画素についての輝度ヒストグラムを作成し、その輝度ヒストグラムに応じて各エッジ画素を低輝度、中間輝度及び高輝度の３分類し、その分類結果から前記低輝度又は前記高輝度を示す画素によるエッジを検出することを特徴とする請求項８記載の放送番組内容メニュー作成装置。
【請求項１０】
前記所定の出現条件には前記条件(1)ないし前記条件(4)の他に、冒頭テロップは１フレームの画面下部に位置するという条件(5)が含まれることを特徴とする請求項４記載の放送番組内容メニュー作成装置。
【請求項１１】
前記映像抽出手段は、前記テロップ検出部によって検出されたテロップが１フレームの画面下部に位置するとき前記条件(5)を満たすと判別する第４判別部を含み、
前記第１判別部は、前記第４判別部によって判別されたテロップに対して前記条件(1)及び前記条件(2)を満たすか否かの判別を行うことを特徴とする請求項１０記載の放送番組内容メニュー作成装置。
【請求項１２】
前記所定の出現条件には前記条件(1)ないし前記条件(4)の他に、冒頭テロップは時間的に短い間隔で出現しないという条件(6)が含まれることを特徴とする請求項４記載の放送番組内容メニュー作成装置。
【請求項１３】
前記映像抽出手段は、前記条件(1)及び前記条件(2)を満たしたテロップが時間的に短い間隔で出現しないテロップであるとき前記条件(6)を満たすと判別する第５判別部を含み、
前記第２判別部は、前記第５判別部によって判別されたテロップに対して前記条件(3)を満たすか否かの判別を行うことを特徴とする請求項１２記載の放送番組内容メニュー作成装置。
【請求項１４】
前記所定の出現条件には前記条件(1)ないし前記条件(4)の他に、冒頭テロップはニュース番組前半に出現するという条件(7)が含まれることを特徴とする請求項４記載の放送番組内容メニュー作成装置。
【請求項１５】
前記映像抽出手段は、前記条件(1)及び前記条件(2)を満たしたテロップがニュース番組前半に出現するとき前記条件(7)を満たすと判別する第６判別部を含み、
前記第２判別部は、前記第６判別部によって判別されたテロップに対して前記条件(3)を満たすか否かの判別を行うことを特徴とする請求項１４記載の放送番組内容メニュー作成装置。
【請求項１６】
前記映像抽出手段は、前記所定の出現条件を満たすテロップを含むフレームの検出を長時間ニュース番組については一定時間毎に区切って行うことを特徴とする請求項４記載の放送番組内容メニュー作成装置。
【請求項１７】
前記文字サイズ設定手段は前記文字サイズの初期値を最大値とすることを特徴とする請求項６又は７記載の放送番組内容メニュー作成装置。
【請求項１８】
前記シーン検出手段は、前記蓄積手段に蓄積された映像信号のうちの前記ニュース番組の映像信号の各フレームの輝度平均値を算出する輝度平均算出手段と、前記ニュース番組の映像信号の連続するフレーム間の輝度平均値の差が所定値より大であるときシーンが変化する時点のフレーム間であると判定する手段と、を備えることを特徴とする請求項４記載の放送番組内容メニュー作成装置。
【請求項１９】
前記メニューの表示項目のいずれか１項目を選択する操作手段を有し、
前記メニュー作成手段は、前記操作手段によって選択された１項目に対応した前記所定の特徴画部分の出現フレームから少なくとも消滅フレームまでの映像信号を前記蓄積手段から取り出して前記メニューを示す映像信号と混合することを特徴とする請求項３記載の放送番組内容メニュー作成装置。
【請求項２０】
前記メニュー作成手段は、前記メニューを示す映像信号には前記映像データによって示される特徴画部分を縮小したデータを用いることを特徴とする請求項３記載の放送番組内容メニュー作成装置。
【請求項２１】
放送番組の内容に関するメニューを作成する放送番組内容メニュー作成方法であって、
放送番組の映像信号を蓄積し、
前記蓄積した映像信号のうちの映像信号の各フレームの所定の特徴画部分を検出し、
検出した前記所定の特徴画部分のうちの所定の出現条件を満たすフレームの特徴画部分だけの映像データを抽出し、
前記映像データの抽出毎にその映像データによって示される特徴画部分を含む映像を表す映像信号を前記メニューとして作成して出力することを特徴とする放送番組内容メニュー作成方法。
【請求項２２】
前記蓄積した映像信号の放送番組が所定のジャンルの放送番組であるか否かを判定し、
前記蓄積した映像信号のうちの前記所定のジャンルの放送番組の映像信号の各フレームの所定の特徴画部分を検出することを特徴とする請求項２１記載の放送番組内容メニュー作成方法。
【手続補正２】
【補正対象書類名】明細書
【補正対象項目名】００１０
【補正方法】変更
【補正の内容】
【００１０】
映像蓄積部１はアンテナ１０を介して任意のテレビ放送波を受信しその受信信号を復調して少なくとも映像信号（場合によっては音声信号）を得て、映像信号を内部に蓄積する。
また、テレビ放送波或いは別の放送波に含まれているＥＰＧ（エレクトロニックプログラムガイド）等の番組情報を抽出してその抽出した番組情報をデータとして蓄積する。
映像蓄積部１は、例えば、ハードディスクドライブを有する。
ジャンル判定部２は映像蓄積部１に蓄積された映像信号が示す番組のジャンルを上記の番組情報を用いて判定する。